(57)【要約】【課題】床構造の施工を容易に行うことが可能な床構造施工用具及び床構造施工方法を提供する。【解決手段】床構造の施工において床仕上げ材が接着される接着剤１０の成形面１１を形成する床構造施工用具Ｔであり、下向きに突出して横並びに設けられた複数の歯部２２を有する本体部２０と、前記歯部２２の上端側に配され、下端の位置が上下することにより、前記歯部２２の高さ寸法Ｈ１を調整する高さ調整部４０と、前記高さ調整部４０の下端４１から前記成形面１１を形成する際の移動方向前方に張り出して設けられた返し部４５と、を備えている。【選択図】図７
2019060217.tif 000002
【特許請求の範囲】
【請求項１】
床構造の施工において床仕上げ材が接着される接着剤の成形面を形成する床構造施工用具であり、
下向きに突出して横並びに設けられた複数の歯部を有する本体部と、
前記歯部の上端側に配され、下端の位置が上下することにより、前記歯部の高さ寸法を調整する高さ調整部と、
前記高さ調整部の下端から前記成形面を形成する際の移動方向前方に張り出して設けられた返し部と、
を備えている床構造施工用具。
【請求項２】
前記返し部の下面が、前記高さ調整部の下端から前記移動方向前方に向かって上方に傾斜している請求項１に記載の床構造施工用具。
【請求項３】
前記返し部のうち前記歯部の並び方向における両端部が切り欠かれている請求項１または請求項２に記載の床構造施工用具。
【請求項４】
床構造の施工において床仕上げ材が接着される接着剤の成形面を形成する床構造施工用具であり、
下向きに突出して横並びに設けられた複数の歯部を有する本体部と、
前記歯部が下向きの状態の前記本体部を倒れないように支持する支持部と、を有し、
前記支持部が、前記本体部から前記歯部の並び方向と交差方向に突出する形態をなして前記本体部と一体に設けられている床構造施工用具。
【請求項５】
接着剤の成形面に床仕上げ材を接着して床構造を施工する床構造施工方法であり、
間欠的な前記成形面を成形する接着剤成形工程と、
前記成形面が配されていない部分に、少なくとも予定の仕上げ高さに配置したときの前記床仕上げ材の下面より上端が上方に突出する高さ寸法を有するとともに、前記床仕上げ材に加えられた荷重によって前記高さ寸法が小さくなる一方、前記床仕上げ材の自重では前記高さ寸法が変わらない硬さを有する高さ保持材を配置する保持材配置工程と、
前記床仕上げ材を前記成形面及び前記高さ保持材の上に載置し、前記床仕上げ材に荷重を加えて前記仕上げ高さに配置する床材配置工程と、
を経る床構造施工方法。
【請求項６】
前記接着剤成形工程において、前記接着剤を線状の凹凸形状を有するように成形する請求項５に記載の床構造施工方法。
【請求項７】
前記接着剤成形工程において、横方向に長い本体部の下縁に沿って複数の歯部が設けられた床構造施工用具を用いて前記接着剤の成形が行われる請求項６に記載の床構造施工方法。
【請求項８】
前記保持材配置工程において、前記高さ保持材を一枚の前記床仕上げ材に対し４箇所に配置する請求項５ないし請求項７のいずれか一項に記載の床構造施工方法。
【発明の詳細な説明】
【技術分野】
【０００１】
本発明は、床構造施工用具及び床構造施工方法に関する。
【背景技術】
【０００２】
従来、建築物等の床構造を施工する方法として、コンクリートや地盤などの土台部、または土台部の上につくられた下地の上に、モルタル等の接着剤を塗布し、その上に石材やタイルなどの床仕上げ材を接着する方法が知られている。モルタル等の接着剤は、均等にならす必要があり、その作業には、例えば下記特許文献１に記載のような施工用具が用いられる。
【０００３】
この施工用具は、横方向に長い本体部の下縁に沿って、複数の歯部が設けられたものである。この施工用具を接着剤の上面に沿って動かすことにより、接着剤が均等にならされ、接着剤の上面には線状の凹凸形状を有する成形面が形成される。この成形面に床仕上げ材を押し付けることにより、下地作製を行うと同時に、仕上げ面のレベルを調整しつつ床仕上げ材を接着することができる。
【先行技術文献】
【特許文献】
【０００４】
【特許文献１】特開平１１−６２２１１号公報
【発明の概要】
【発明が解決しようとする課題】
【０００５】
しかしながら上記のような構成の施工用具では、歯部により掻き出された接着剤が、本体部の板面に沿って歯部よりも上側に至り、本体部に付着して留まることがある。また、例えば接着剤をならす作業中に施工用具から手を放すと、施工用具が接着剤の上に倒れて汚れてしまうことがある。そうすると、本体部に付着した接着剤を取り去る作業が必要になり、床構造の施工にかかる手間が増すという問題がある。
【０００６】
本発明は上記のような事情に基づいて完成されたものであって、床構造の施工を容易に行うことが可能な床構造施工用具及び床構造施工方法を提供することを目的とする。
【課題を解決するための手段】
【０００７】
本発明１の床構造施工用具は、床構造の施工において床仕上げ材が接着される接着剤の成形面を形成する床構造施工用具であり、下向きに突出して横並びに設けられた複数の歯部を有する本体部と、前記歯部の上端側に配され、下端の位置が上下することにより、前記歯部の高さ寸法を調整する高さ調整部と、前記高さ調整部の下端から前記成形面を形成する際の移動方向前方に張り出して設けられた返し部と、を備えている。
【０００８】
本発明２の床構造施工用具は、床構造の施工において床仕上げ材が接着される接着剤の成形面を形成する床構造施工用具であり、下向きに突出して横並びに設けられた複数の歯部を有する本体部と、前記歯部が下向きの状態の前記本体部を倒れないように支持する支持部と、を有し、前記支持部が、前記本体部から前記歯部の並び方向と交差方向に突出する形態をなして前記本体部と一体に設けられている。
【０００９】
本発明３の床構造施工方法は、接着剤の成形面に床仕上げ材を接着して床構造を施工する床構造施工方法であり、間欠的な前記成形面を成形する接着剤成形工程と、前記成形面が配されていない部分に、少なくとも予定の仕上げ高さに配置したときの前記床仕上げ材の下面より上端が上方に突出する高さ寸法を有するとともに、前記床仕上げ材に加えられた荷重によって前記高さ寸法が小さくなる一方、前記床仕上げ材の自重では前記高さ寸法が変わらない硬さを有する高さ保持材を配置する保持材配置工程と、前記床仕上げ材を前記成形面及び前記高さ保持材の上に載置し、前記床仕上げ材に荷重を加えて前記仕上げ高さに配置する床材配置工程と、を経る。
【発明の効果】
【００１０】
本発明１によれば、高さ調整部の下端、すなわち歯部の高さ寸法が調整されるものにおいて必ず歯部の上端に位置するところから返し部が前方に張り出している。このような返し部によれば、成形面を形成する際に掻き出される接着剤が、歯部より上方に至ることを確実に防ぐことができる。したがって、本体部に付着した接着剤を取り去る作業が不要になるため、床構造の施工を容易に行うことができる。
【００１１】
本発明２によれば、例えば作業の途中で手を離しても、そのままの姿勢で本体部が自立するから、施工用具が接着剤の上に倒れて汚れてしまうことを防ぐことができる。したがって、本体部に付着した接着剤を取り去る作業が不要になるため、床構造の施工を容易に行うことができる。
【００１２】
本発明３によれば、床構造の施工を容易に行うことができる。ここで、接着剤の成形面に床仕上げ材を接着して床構造を施工する床構造施工方法では、成形面に床仕上げ材を載置し、床仕上げ材を成形面に押し付けて予定の仕上げ高さに配置するところ、床仕上げ材の厚さ寸法が大きい場合などには、施工直後（接着剤の硬化前）に床仕上げ材が自重で接着剤に沈み込み、完成時には予定の仕上げ高さより下がってしまうことがある。しかしながら、本施工方法によれば、予定の仕上げ高さに配置された床仕上げ材を高さ保持材が支持した状態になるから、完成時に床仕上げ材が予定の仕上げ高さより下がってしまうことを防ぐことができる。したがって、床構造の施工を容易に行うことができる。
【図面の簡単な説明】
【００１３】
【図１】本実施例１における床構造施工用具を示す斜視図
【図２】床構造施工用具を示す正面図
【図３】床構造施工用具を示す背面図
【図４】床構造施工用具を示す平面図
【図５】床構造施工用具を示す側面図
【図６】床構造施工用具を用いて接着剤を引き進める様子を示す概略平面図
【図７】床構造施工用具を用いて接着剤を引き進める様子を示す概略側面図であって、（Ａ）は床構造施工用具を動かしている様子を示し、（Ｂ）は床構造施工用具から手を離したときの様子を示す。
【図８】傾斜した土台部の上面に水平な接着剤の成形面を形成する様子を示す概略正面図
【図９】本実施例２における床構造施工方法であって、成形面及び高さ保持材の上に床仕上げ材を載置する前の状態を示す概略斜視図
【図１０】床構造施工方法を説明する概略図
【図１１】本実施例３における床構造施工方法であって、成形面及び高さ保持材の上に床仕上げ材を載置する前の状態を示す概略斜視図
【発明を実施するための形態】
【００１４】
本発明の好ましい形態を以下に示す。
本発明１の床構造施工用具は、前記返し部の下面が、前記高さ調整部の下端から前記移動方向前方に向かって上方に傾斜しているものとしてもよい。このような構成によれば、接着剤が、返し部の下面の傾斜によって斜め上方に案内され、返し部の前方に繰り出されるから、返し部の下方に接着剤が溜まることを防ぐことができる。
【００１５】
また、本発明１の床構造施工用具は、前記返し部のうち前記歯部の並び方向における両端部が切り欠かれているものとしてもよい。一般に床仕上げ材を施工する際は、仕上がりの高さ位置に水糸を張り、その糸に合わせて床仕上げ材を張っていくが、このような構成によれば、切り欠かれた返し部の両端部から水糸が見えるから、返し部があることによって水糸が視認しにくくなる事態を防ぐことができる。
【００１６】
本発明３の床構造施工方法は、前記接着剤成形工程において、前記接着剤を線状の凹凸形状を有するように成形する方法としてもよい。このような施工方法によれば、広い範囲にわたり接着剤を容易に成形することができるから、床構造の施工を容易に行うことができる。
【００１７】
また、本発明３の床構造施工方法は、前記接着剤成形工程において、横方向に長い本体部の下縁に沿って複数の歯部が設けられた床構造施工用具を用いて前記接着剤の成形が行われる方法としてもよい。このような施工方法によれば、接着剤を線状の凹凸形状を有するように容易に成形することができるから、床構造の施工を容易に行うことができる。
【００１８】
また、本発明３の床構造施工方法は、前記保持材配置工程において、前記高さ保持材を一枚の前記床仕上げ材に対し４箇所に配置する方法としてもよい。このような施工方法によれば、床仕上げ材を高さ保持材にバランスよく支持させることができ、もって床仕上げ材を精度良く仕上げ高さに配置することができる。
【００１９】
＜実施例１＞
以下、本発明を具体化した実施例１について、図１〜図８を参照しつつ詳細に説明する。
本実施例における床構造施工用具（以後、単に施工用具Ｔと称する）は、床構造の施工において床仕上げ材（図示せず）が接着される接着剤１０の成形面１１を形成するものである。以下、各構成部材において、成形面１１を形成する際の移動方向前側（図１では右手前側）を前方、その反対側（図１では左奥側）を後方とし、また図１の上側を上方、下側を下方、右奥側を左方、左手前側を右方として説明する。
【００２０】
施工用具Ｔは、下向きに突出して横並びに設けられた複数の歯部２２を有する本体部２０と、歯部２２の高さ寸法Ｈ１を調整する高さ調整部４０と、の２部品を備えている。施工用具Ｔは、本体部２０に対して高さ調整部４０の上下方向の位置を任意に変えて固定可能な固定構造を備えている。
【００２１】
本体部２０は、全体として左右方向に長い板状をなしている。施工用具Ｔは、成形面１１を形成する際に本体部２０の板面が直角をなすように立った状態で用いられる。本体部２０の幅寸法（左右方向の寸法）は、従来より大きくされており、床仕上げ材一枚分の幅の接着剤１０を一度で成形することができる寸法とされている。本体部２０の幅寸法は、例えば３００〜６００角の床仕上げ材の大きさにあわせて、それぞれ専用に設定されてもよい。すなわち、床仕上げ材の大きさにあわせて専用の施工用具Ｔを備えるものとしてもよい。
【００２２】
本体部２０は、図３に示すように、横長の長方形状をなす本体上部２１と、本体上部２１の下端から突出する複数の歯部２２とを備えている。本体上部２１及び歯部２２は、一枚の金属板材からなる。
【００２３】
本体上部２１には、高さ調整部４０が固定される被固定部２３が設けられている。被固定部２３は、固定構造を構成している。被固定部２３は、本体上部２１において幅方向に離れた位置に一対が設けられている。一対の被固定部２３は、本体上部２１の左右方向における両端部に位置している。一対の被固定部２３は、高さ位置が揃えられている。
【００２４】
被固定部２３には、図５に示すように、高さ調整部４０を固定するネジ２４及びナット２５が取り付けられている。ナット２５は、例えばローレットナットである。本体上部２１には、ネジ２４の軸部２６が通される孔が貫通形成されており、ネジ２４の頭部２７は本体上部２１の後側に配され、軸部２６は前側に突出している。ナット２５は、本体上部２１の前側においてネジ２４の軸部２６に螺合されている。ナット２５と本体上部２１との間に高さ調整部４０が挟み込まれて固定される。
【００２５】
本体上部２１には、作業者が手で把持する把持部２８が設けられている。把持部２８は、図５に示すように、本体上部２１の上端に設けられた上板部２９の上面に固定されている。上板部２９は、本体上部２１の上端から後側に略直角に屈曲して設けられている。
【００２６】
複数の歯部２２は、図３に示すように、概ね一定ピッチで並べられている。各歯部２２は、下端（突出端）３１に向かって幅（左右方向の寸法）が狭まる縦長の台形状をなしている。歯部２２の下端３１は、全ての歯部２２において高さ位置が揃えられている。すなわち、全ての歯部２２の下端３１は一直線上に配されている。
【００２７】
図８に示すように、歯部２２の左右両側縁３２は、接着剤１０の山部１２の左右の側面を形作り、後述する高さ調整部４０の下端４１は、接着剤１０の山部１２の上面を形作る。言い換えると、歯部２２の形状が、接着剤１０の谷部１３の断面形状となり、隣接する歯部２２の間の部分（以後、歯間部３３と称する）の形状が、接着剤１０の山部１２の断面形状となる。なお、歯間部３３の幅寸法は、歯部２２の幅寸法より若干大きくされている。
【００２８】
図３に示すように、歯部２２の本体上部２１の下端からの突出寸法Ｈ２は、歯部２２の高さ寸法Ｈ１を従来のものに比して大きい寸法とできるように設定されている。例えば本実施例では、歯部２２の突出寸法Ｈ２は、歯部２２の高さ寸法Ｈ１が最大で４３ｍｍとなるように決められている。歯部２２の高さ寸法Ｈ１が従来に比して大きいことにより、接着剤１０の高さを従来よりも大きくすることができ、これにより、接着剤１０の上面に水平な成形面１１を形成することができる。すなわち従来、土台部１４の上に若干の厚さを有する下地をつくり、下地の上面に水平な面を成形する必要があったところ、所定の厚さを有する接着剤１０の上面に水平な成形面１１を形成することができるから、下地を不要とすることができる。なお、歯部２２には、床仕上げ材を施工した後（後述する床材載置工程完了後）の、土台部１４からの接着剤１０の高さ寸法を表示する目盛りが付されている（図２参照）。この目盛りは目安であり、床材載置工程完了後の土台部１４からの接着剤１０の高さ寸法は床仕上げ材の重さによって変わり、必ずしも目盛り通りになるわけではない。また、目盛りは等間隔で設定しなくてもよい。すなわち床仕上げ材を載置した際に、接着剤１０の山部１２が押しつぶされて谷部１３に逃げる量が山部１２の高さ寸法によって異なるため、それらを考慮した目盛り間隔で設定してもよい。
【００２９】
施工用具Ｔには、図５に示すように、歯部２２が下向きの状態の本体部２０を倒れないように支持する支持部３４が備えられている。支持部３４は、本体部２０の下端部に設けられている。支持部３４は、本体部２０の左右方向における両端部に一対が設けられている（図４参照）。
【００３０】
支持部３４は、本体部２０から後方（歯部２２の並び方向と交差方向）に突出する形態をなして本体部２０と一体に設けられている。支持部３４は、本体部２０の一部が本体部２０と略直角をなすように折り返されて形成されている。支持部３４は、複数の歯部２２のうち左右方向において最も端に位置する歯部２２の側縁（幅方向外側の縁）から後方に屈曲されている。支持部３４の板面は、本体部２０の板面に対して直角（すなわち前後方向に対して平行）をなしている。支持部３４の幅（前後方向の寸法）は、図５に示すように、上板部２９の幅（前後方向の寸法）と同程度の寸法とされている。
【００３１】
支持部３４の下端は、土台部１４の上面に当接する当接部３５とされている。当接部３５は、歯部２２の下端３１と高さ位置が揃えられている。なお、支持部３４の上端は、後ろ下がりに傾斜している。
【００３２】
高さ調整部４０は、図２に示すように、歯部２２の上端側に配されている。高さ調整部４０は、全体として横方向に長い形状をなしている。高さ調整部４０の幅（左右方向の寸法）は、本体部２０の幅（左右方向の寸法）と同等の寸法とされている。高さ調整部４０の高さ寸法（上下方向の寸法）は、本体上部２１の高さ寸法（上下方向の寸法）と同等とされている。
【００３３】
高さ調整部４０の下端４１は、一直線状をなしており、下端４１の位置が上下することにより、歯部２２の高さ寸法Ｈ１が調整される。すなわち、高さ調整部４０の下端４１が、歯部２２の高さ寸法Ｈ１を決めており、歯部２２の高さ寸法Ｈ１は、高さ調整部４０の下端４１から下方に突出する寸法である。
【００３４】
高さ調整部４０が本体部２０に対して相対的に下側に位置しているときには、歯部２２の高さ寸法Ｈ１は小さくなり、相対的に上側に位置しているときには歯部２２の高さ寸法Ｈ１は大きくなる。なお、高さ調整部４０が最も上側に位置しているときに、本体上部２１の下端と高さ調整部４０の下端４１との高さ位置が揃うようになっている。
【００３５】
高さ調整部４０には、図１及び図２に示すように、本体部２０に固定される固定部４３が設けられている。固定部４３は、固定構造を構成している。固定部４３は、被固定部２３と同様、本体部２０において幅方向に離れた位置に一対が設けられている。一対の固定部４３は、高さ調整部４０の左右方向における両端部に位置し、その間隔は、被固定部２３の間隔と同じとされている。一対の固定部４３は、同じ高さ位置に配されている。
【００３６】
固定部４３には、上下方向に細長い孔部４４が貫通形成されている。孔部４４には、ネジ２４の軸部２６が通される。孔部４４及びネジ２４は、軸部２６が孔部４４に通された状態で上下方向に相対的にスライド移動可能とされている。高さ調整部４０は、本体上部２１とナット２５との間に孔部４４の縁部が挟持されることにより本体部２０に固定される。高さ調整部４０は、本体部２０の前面に固定される。
【００３７】
この施工用具Ｔは、ナット２５を緩めることで高さ調整部４０の位置を変えることができ、ナット２５を締め付けることで高さ調整部４０の位置を固定することができる。すなわち高さ調整部４０と本体部２０を一体に保持したまま、高さ調整部４０の移動及び固定を行うことができる。
【００３８】
高さ調整部４０の上縁には、下方に凹んだ凹部４２が設けられている。凹部４２は、高さ調整部４０の幅方向における中央部（把持部２８に対応する部分）に形成されている。高さ調整部４０が最も上側に固定されている状態では、高さ調整部４０の上縁部（凹部４２の左右両側に位置する部分）は、本体部２０の上板部２９より上方に突出する。
【００３９】
高さ調整部４０には、接着剤１０が本体上部２１に付着することを防ぐ返し部４５が設けられている。返し部４５は、図５に示すように、高さ調整部４０の下端４１から前方に張り出している。返し部４５は、高さ調整部４０の全幅にわたって設けられている。
【００４０】
返し部４５は、高さ調整部４０の下端４１から斜め前方に屈曲されて形成されている。返し部４５の下面は、高さ調整部４０の下端４１から前方に向かって斜め上方に傾斜している。なお、返し部４５の下面の傾斜は、支持部３４の上縁の傾斜と同等の勾配とされている。
【００４１】
返し部４５の前後方向の寸法は、少なくとも固定構造の全体の下側を覆う寸法とされている。なお、返し部４５の前後方向の寸法は、支持部３４の前後方向の寸法より若干小さくされている。
【００４２】
返し部４５のうち左右方向（歯部２２の並び方向）における両端部は、図４に示すように、切り欠かれている。これにより、返し部４５の両端部には、斜め方向に延びた切欠縁部４６が形成されている。切欠縁部４６が形成されていることにより、返し部４５の上端は、下端より幅が狭くなっている。
【００４３】
返し部４５の先端（上端）には、図５に示すように、立板部４７が上方に立ちあがっている。立板部４７は、高さ調整部４０の板面と略平行をなすように立っている。立板部４７は、返し部４５の先端の全幅にわたっている。立板部４７は、高さ調整部４０が最も上側に固定されている状態で、本体部２０の被固定部２３と同等の高さ位置に配される。
【００４４】
次に、本実施例の施工用具Ｔを用いて建築物等の床構造を施工する方法の一例を説明する。この施工方法は、準備工程と、コンクリート等の土台部１４の上に接着剤１０を敷設する接着剤敷設工程と、床仕上げ材の裏面に図示しない接着剤を塗布する工程と、接着剤１０の表面に床仕上げ材を載置する床材載置工程と、を経る。
【００４５】
準備工程では、床仕上げ材の仕上がりの基準を設ける基準設置工程を行う。作業者は、仕上がり面の目安（基準）として、土台部１４に水糸１５を張る（図６参照）。水糸１５は、床仕上げ材の仕上がり面の高さ位置にあわせて、土台部１４の上面から床仕上げ材の厚さ寸法に接着剤１０の厚さ寸法（例えば３０〜５０ｍｍ程度）を加算した高さに張る。
【００４６】
また、準備工程では、接着剤１０を混練する材料混練工程を行う。接着剤１０は、従来よりも厚さ寸法を出せる、すなわち従来よりも高い山部１２の形状を保持したまま自立できる堅さを有するものが望ましい。接着剤１０は、例えば、既成調合モルタル１ｋｇに対し水０．２リットルの割合で加えて練ったモルタルを用いることができる。
【００４７】
また、準備工程では、施工用具Ｔの歯部２２の高さ寸法Ｈ１を適宜設定する。高さ調整部４０を本体部２０に対して上下方向に移動し、歯部２２のうち高さ調整部４０の下端４１から下方に突出する寸法を調整する。必要な歯部２２の高さ寸法Ｈ１となる位置で、固定部４３を被固定部２３に固定し、高さ調整部４０を本体部２０に固定する。
【００４８】
ここで、土台部１４の上面が、図８に示すように、傾斜している場合には、本体部２０に対して高さ調整部４０を斜めに取り付けることにより、成形面１１を水平にすることができる。詳しくは、施工用具Ｔの左右で高さ調整部４０の固定位置を異なる高さとすることにより、高さ調整部４０の下端４１が歯部２２の下端３１に対して傾いた状態で固定する。これにより、歯部２２の下端３１を土台部１４の上面に当接させた状態で、高さ調整部４０の下端４１が水平となるように設定することができる。従来の施工用具では、歯部の高さ寸法が一定であることから、成形面が土台部の上面に平行な面として形成される。このため、土台部の上面が傾斜している場合には、土台部の上に水平な成形面をつくることが難しかった。しかしながら、本実施例の施工用具Ｔによれば、土台部１４の上面と平行でない成形面１１を容易に形成することができるから、土台部１４の上面が傾斜していても、水平な成形面１１を容易に形成することができる。
【００４９】
接着剤敷設工程では、まず、土台部１４の上面に接着剤１０を薄く塗りつける。次いで、薄く塗りつけた接着剤１０の上に更に接着剤１０を載せ、施工用具Ｔの幅分、コテ等を用いて施工用具Ｔの前へ接着剤１０を掻き集める。
【００５０】
次いで、施工用具Ｔにより接着剤１０を引き進める。図７（Ａ）に示すように、歯部２２の下端３１を土台部１４の上面に当接した状態で、施工用具Ｔを上下方向に小さく揺らしながら引き進める。このとき、支持部３４の板面は前後方向に平行であるから、施工用具Ｔを引くときの抵抗（邪魔）になることを防ぐことができる。
【００５１】
作業者は、水糸１５を視認しながら水糸１５に沿うように施工用具Ｔを引く。この際、返し部４５の両端部に切り欠きがあることから、水糸１５が返し部４５によって隠されない。したがって、作業者は水糸１５を目視しやすく、施工用具Ｔを容易に真っ直ぐに掻くことができる。
【００５２】
歯部２２に押された接着剤１０は上方に移動しようとし、返し部４５の下面の傾斜によって前方に繰り出される。よって、接着剤１０が本体上部２１や固定構造に至り、そこに付着することを防ぐことができ、かつ返し部４５の下方に溜まることを防ぐことができる。
【００５３】
接着剤１０を引き進める作業では、例えば、接着剤１０の成形面１１に床仕上げ材を載置するときや、次に貼る床仕上げ材のための接着剤１０を敷くときなどに施工用具Ｔから手を放すことがある。施工用具Ｔから手を放すと、図７（Ｂ）に示すように、支持部３４の当接部３５が土台部１４の上面に当接し、施工用具Ｔが自立する。
【００５４】
次に、床仕上げ材の裏面に図示しない接着剤を薄く塗りつける。接着剤の厚みは約１〜２ｍｍ程度になるように均一に塗布する。
【００５５】
次に、床材載置工程を行う。接着剤１０の成形面１１に床仕上げ材を載置する。床仕上げ材は、例えば３００〜６００角程度の石材やタイルなど各種の床仕上げ材を用いることができる。また床仕上げ材は、厚いもの（例えば厚さ寸法が２０〜３０ｍｍのもの）や薄いもの（例えば厚さ寸法が９ｍｍ程度のもの）など任意の厚さのものを使用することができる。
【００５６】
床材載置工程では、床仕上げ材を接着剤１０の上面に載置した後、ハンマなどで床仕上げ材を叩く床材叩き工程を行う。床材叩き工程では、床仕上げ材を叩いて接着剤１０に沈み込ませ、仕上がり面を揃える。このとき、床仕上げ材の端部など接着剤１０が不足している部分には、接着剤１０を詰める。水糸１５の高さまで床仕上げ材の全体を満遍なく叩き押さえて、平面精度を出す。
【００５７】
こうして床材叩き工程を終えたら、接着剤１０が硬化するまで養生し、硬化後、必要に応じて目地詰めする。
以上により、床構造の施工が完了する。
【００５８】
次に、上記のように構成された実施例の作用および効果について説明する。
本実施例の施工用具Ｔは、床構造の施工において床仕上げ材が接着される接着剤１０の成形面１１を形成するものであり、下向きに突出して横並びに設けられた複数の歯部２２を有する本体部２０と、歯部２２の上端側に配され、下端の位置が上下することにより、歯部２２の高さ寸法Ｈ１を調整する高さ調整部４０と、高さ調整部４０の下端４１から成形面１１を形成する際の移動方向前方に張り出して設けられた返し部４５と、を備えている。
【００５９】
この構成によれば、高さ調整部４０の下端４１、すなわち歯部２２の高さ寸法Ｈ１が調整されるものにおいて必ず歯部２２の上端に位置するところから返し部４５が前方に張り出している。このような返し部４５によれば、成形面１１を形成する際に掻き出される接着剤１０が、歯部２２より上方に至ることを確実に防ぐことができる。したがって、本体部２０に付着した接着剤１０を取り去る作業が不要になるため、床構造の施工を容易に行うことができる。
【００６０】
また、返し部４５の下面が、高さ調整部４０の下端４１から前方に向かって上方に傾斜している。この構成によれば、接着剤１０が、返し部４５の下面の傾斜によって斜め上方に案内され、返し部４５の前方に繰り出されるから、返し部４５の下方に接着剤１０が溜まることを防ぐことができる。
【００６１】
また、返し部４５のうち歯部２２の並び方向における両端部が切り欠かれている。この構成によれば、切り欠かれた返し部４５の両端部から水糸１５が見えるから、返し部４５があることによって水糸１５が視認しにくくなる事態を防ぐことができる。
【００６２】
また、歯部２２が下向きの状態の本体部２０を倒れないように支持する支持部３４を有し、支持部３４が、本体部２０から歯部２２の並び方向と交差方向に突出する形態をなして本体部２０と一体に設けられている。この構成によれば、例えば作業の途中で手を離しても、そのままの姿勢で本体部２０が自立するから、施工用具Ｔが接着剤１０の上に倒れて汚れてしまうことを防ぐことができる。したがって、本体部２０に付着した接着剤１０を取り去る作業が不要になるため、床構造の施工を容易に行うことができる。
【００６３】
＜実施例２＞
以下、本発明を具体化した実施例２について、図９及び図１０を参照しつつ詳細に説明する。
本実施例における床構造施工方法は、接着剤５０の成形面５５に床仕上げ材５１を接着して床構造を施工する方法である。この床構造施工方法は、間欠的な成形面５５を成形する接着剤成形工程と、成形面５５が配されていない部分に高さ保持材５３を配置する保持材配置工程と、床仕上げ材５１を成形面５５及び高さ保持材５３の上に載置し、床仕上げ材５１に荷重を加えて仕上げ高さに配置する床材配置工程と、を経る。
【００６４】
床仕上げ材５１は、例えば３００〜６００角程度の石材やタイルなど各種の床仕上げ材５１を用いることができる。床仕上げ材５１は、厚いもの（例えば厚さ寸法が２０〜３０ｍｍのもの）や薄いもの（例えば厚さ寸法が９ｍｍ程度のもの）など任意の厚さのものを使用することができる。また、床仕上げ材５１は、裏面に裏足５４が突設されている裏足付きのものを使用することができる。裏足５４は、接着剤５０への沈み込みやすさ等を考慮して所定の幅及び高さ寸法に設定することができる。
【００６５】
接着剤成形工程では、土台部５２の上面に敷いた接着剤５０に平らな成形面５５を成形する。成形面５５は、接着剤５０を線状の凹凸形状（山部５６及び谷部５７）を有するようにならして成形する。この場合、成形面５５は、山部５６の表面に成形された平坦な面である。接着剤５０の厚さ寸法（山部５６の高さ寸法）は、成形面５５が、例えば床仕上げ材５１を予定の仕上げ高さに配置したときの床仕上げ材５１の上面（仕上げ面）の高さ位置になる寸法にする。
【００６６】
接着剤５０の成形には、横方向に長い本体部の下縁に沿って複数の歯部が設けられた床構造施工用具を用いることができる。なお、この床構造施工用具として、実施例１に記載の施工用具Ｔを用いることにより、接着剤成形工程を格段に容易に行うことができる。
【００６７】
保持材配置工程では、接着剤５０の谷部５７（成形面５５が配されていない部分）に高さ保持材５３を配置する。高さ保持材５３は、隣接する山部５６の間で自立した状態にする。
【００６８】
高さ保持材５３は、一枚の床仕上げ材５１に対し４箇所に配置する。高さ保持材５３は、各床仕上げ材５１の四隅（床仕上げ材５１よりも一回り小さい方形状をなす領域の角）に位置するように配置する。具体的には、例えば床仕上げ材５１の辺の長さ寸法の１／５〜１／１０の寸法分だけ、床仕上げ材５１の角から辺に沿って内側に入った位置にできる方形状をなす領域の角の近傍に高さ保持材５３を配置することができる。
【００６９】
高さ保持材５３は、非弾性体であり、床仕上げ材５１に加えられた荷重によって高さ寸法が小さくなる一方、床仕上げ材５１の自重では高さ寸法が変わらない硬さを有している。高さ保持材５３は、例えばアルミホイル等のシート体を軽く丸める（強く押し固めない）ことにより作ることができる。
【００７０】
高さ保持材５３は、断面の直径が１５〜２０ｍｍの略円柱状をなしている。高さ保持材５３の高さ寸法は、図１０に示すように、上方に床仕上げ材５１が載置される前の状態において、接着剤５０の成形面５５より上端が上方に突出する寸法を有している。具体的には高さ保持材５３の高さ寸法は、接着剤５０の厚さ寸法＋５ｍｍ程度とすることが望ましく、例えば接着剤５０の厚さ寸法が３０ｍｍである場合には、高さ保持材５３の高さ寸法を３５ｍｍ程度とすることが望ましい。
【００７１】
床材配置工程では、床仕上げ材５１を接着剤５０の成形面５５及び高さ保持材５３に載置した後、ハンマ等により床仕上げ材５１を叩いて（床仕上げ材５１に荷重を加えて）接着剤５０に沈み込ませ、予定の仕上げ高さに配置する。床仕上げ材５１は、接着剤５０及び高さ保持材５３を潰し変形させつつ下がり、予定の仕上げ高さに至る。こうして床仕上げ材５１を予定の仕上げ高さに配置したら、接着剤５０が硬化するまで養生し、硬化後、目地詰めする。
【００７２】
ここで、床仕上げ材５１が重いものである場合、具体的には厚さ寸法が１１ｍｍ以上である場合等には、床材配置工程の施工直後（接着剤５０層の硬化前）に、床仕上げ材５１の自重により床仕上げ材５１が沈み込んでしまうことがある。しかしながら、本実施例では、床仕上げ材５１の自重では変形しない高さ保持材５３が床仕上げ材５１の下面を支持しているから、床仕上げ材５１が自重により沈み込むことを防ぐことができる。こうして、床仕上げ材５１を確実に予定の仕上げ高さに配置することができる。
以上により、床構造の施工が完了する。
【００７３】
次に、上記のように構成された実施例の作用および効果について説明する。
本実施例の床構造施工方法は、接着剤５０の成形面５５に床仕上げ材５１を接着して床構造を施工する床構造施工方法であり、間欠的な成形面５５を成形する接着剤成形工程と、成形面５５が配されていない部分に、少なくとも予定の仕上げ高さに配置したときの床仕上げ材５１の下面より上端が上方に突出する高さ寸法を有するとともに、床仕上げ材５１に加えられた荷重によって高さ寸法が小さくなる一方、床仕上げ材５１の自重では高さ寸法が変わらない硬さを有する高さ保持材５３を配置する保持材配置工程と、床仕上げ材５１を成形面５５及び高さ保持材５３の上に載置し、床仕上げ材５１に荷重を加えて仕上げ高さに配置する床材配置工程と、を経る。
【００７４】
ここで、接着剤５０の成形面５５に床仕上げ材５１を接着して床構造を施工する床構造施工方法では、成形面５５に床仕上げ材５１を載置し、床仕上げ材５１を成形面５５に押し付けて予定の仕上げ高さに配置するところ、床仕上げ材５１の厚さ寸法が大きい場合などには、施工直後（接着剤５０の硬化前）に床仕上げ材５１が自重で接着剤５０に沈み込み、完成時には予定の仕上げ高さより下がってしまうことがある。しかしながら、本施工方法によれば、予定の仕上げ高さに配置された床仕上げ材５１を高さ保持材５３が支持した状態になるから、完成時に床仕上げ材５１が予定の仕上げ高さより下がってしまうことを防ぐことができる。したがって、床構造の施工を容易に行うことができる。
【００７５】
また、接着剤成形工程において、接着剤５０を線状の凹凸形状を有するように成形する。この施工方法によれば、広い範囲にわたり接着剤５０を容易に成形することができるから、床構造の施工を容易に行うことができる。
【００７６】
また、接着剤成形工程において、横方向に長い本体部の下縁に沿って複数の歯部が設けられた床構造施工用具を用いて接着剤の成形が行われる。この施工方法によれば、接着剤５０を線状の凹凸形状を有するように容易に成形することができるから、床構造の施工を容易に行うことができる。
【００７７】
また、保持材配置工程は、高さ保持材５３を一枚の床仕上げ材５１に対し４箇所に配置する。この施工方法によれば、床仕上げ材５１を高さ保持材５３にバランスよく支持させることができ、もって床仕上げ材５１を精度良く仕上げ高さに配置することができる。
【００７８】
＜実施例３＞
次に、本発明を具体化した実施例３に係る床構造施工方法を図１１によって説明する。
本実施例の床構造施工方法は、接着剤６０が、点状の山部６１を有するように成形されたものである点で、実施例２とは相違する。なお、実施例２と同様の構成には同一符号を付して重複する説明を省略する。
【００７９】
本実施例に係る床構造施工方法は、実施例２と同様に、接着剤６０の成形面６２に床仕上げ材５１を接着して床構造を施工する方法であり、接着剤成形工程と、保持材配置工程と、床材配置工程と、を経る。
【００８０】
接着剤成形工程では、土台部５２の上面の複数箇所に、一枚の床仕上げ材５１の大きさに対して小さい点状をなす接着剤６０の山部６１を配置する。本実施例では、接着剤６０の山部６１を、一枚の床仕上げ材５１に対して５箇所（床仕上げ材５１の中心及び四隅）に配置する。接着剤６０の山部６１は、径寸法よりも高さ寸法が小さい円柱形状をなすように、コテ等を使って成形する。接着剤６０の成形面６２は、略水平な円形状をなす面とする。なお、接着剤６０の山部６１は、必ずしもこのように成形しなくてもよく、例えば団子状にまとめた形（特にコテ等を使って形を整えない）で土台部５２の上面に配置してもよく、成形面６２は、必ずしも水平な面でなくてもよい。
【００８１】
保持材配置工程では、土台部５２の上面のうち接着剤６０の山部６１に隣接した部分に高さ保持材５３を配置する。高さ保持材５３は、実施例２と同様、一枚の床仕上げ材５１に対し４箇所に、各床仕上げ材５１の四隅に位置するように配置された接着剤６０の山部６１に隣接して配置する。高さ保持材５３は、接着剤６０の各山部６１の周面（土台部５２の上面に対して立っている面）に寄りかからせるようにして立たせる。高さ保持材５３は、接着剤６０の４つの山部６１の外側（床仕上げ材５１の板面において外縁側）の位置に配置する。なお、接着剤６０の山部６１及び高さ保持材５３の高さ寸法は、実施例２と同様に設定する。
【００８２】
保持材配置工程では、接着剤６０に隣接して高さ保持材５３を配置したが、高さ保持材５３は、土台部５２の上面に配置された接着剤６０の中央部に埋め込むように配置してもよい。
【００８３】
床材配置工程では、実施例２と同様、床仕上げ材５１を接着剤６０の成形面６２及び高さ保持材５３に載置した後、ハンマ等により床仕上げ材５１を叩いて接着剤６０に沈み込ませ、予定の仕上げ高さに配置する。本実施例では、実施例２と同様、床仕上げ材５１の自重では変形しない高さ保持材５３が床仕上げ材５１の下面を支持しているから、床仕上げ材５１が自重により沈み込むことを防ぐことができる。よって、床仕上げ材５１を確実に仕上げ高さに配置することができる。
【００８４】
以上のように本実施例においては、実施例２と同様、予定の仕上げ高さに配置された床仕上げ材５１を高さ保持材５３が支持した状態になるから、完成時に床仕上げ材５１が予定の仕上げ高さより下がってしまうことを防ぐことができる。
【００８５】
＜他の実施例＞
本発明は上記記述及び図面によって説明した実施例に限定されるものではなく、例えば次のような実施例も本発明の技術的範囲に含まれる。
（１）上記実施例では、施工用具Ｔが返し部４５を備えているが、必ずしも返し部を備えなくてもよい。
（２）上記実施例では、返し部４５が、高さ調整部４０の下端４１から前方に向かって上方に傾斜しているが、これに限らず、返し部は、例えば水平であってもよい。
（３）上記実施例では、具体的な固定構造を例示したが、これに限らず、固定構造は、本体部に対して高さ調整部の上下方向の位置を任意に変えて固定可能であれば、どのような構造であってもよい。
（４）上記実施例では、返し部４５の左右両端部が切り欠かれているが、必ずしもこのように切り欠かなくてもよい。
（５）上記実施例では、施工用具Ｔが支持部３４を備えているが、必ずしも支持部を備えなくてもよい。
（６）上記実施例では、支持部３４が本体部２０から折り返して形成されているが、これに限らず、本体部とは別体に製造した支持部を、本体部に組み付けや溶接等により一体に取り付けてもよい。
（７）上記実施例では、支持部３４が本体部２０から後方に突出しているが、これに限らず、例えば支持部は、本体部から前後両側に突出してもよい。
（８）上記実施例では、支持部３４が本体部２０の左右両端部に一対設けられているが、これに限らず、支持部は、本体部の左右両側のうち一方の側のみに設けてもよく、また、本体部の端部のみならず中間部に設けてもよい。
（９）接着剤としては、モルタル、有機系の接着剤などが挙げられる。
（１０）上記実施例２では、土台部５２に接着剤５０を直接配置した場合を例示したが、これに限らず、例えば土台部の上面に下地をつくり、下地の上に接着剤を配置してもよい。
（１１）上記実施例２では、高さ保持材５３の高さ寸法は、接着剤５０の成形面５５より上端が上方に突出する寸法とされているが、これに限らず、高さ保持材の高さ寸法は、少なくとも予定の仕上げ高さに配置したときの床仕上げ材の下面より上端が上方に突出する高さ寸法を有していればよく、具体的には、例えば、床仕上げ材を予定の仕上げ面の高さ位置が土台部の上面から３０ｍｍの高さ位置で、床仕上げ材の厚さ寸法が１０ｍｍである場合には、接着剤の厚さ寸法は例えば３０ｍｍ程度とし、高さ保持材の高さ寸法は少なくとも２０ｍｍ以上としてもよい。
（１２）上記実施例２では、高さ保持材３５を一枚の床仕上げ材５１に対し４箇所に配置したが、これに限らず、高さ保持材の配置数は適宜変更しても良い。
【符号の説明】
【００８６】
Ｈ１…歯部の高さ寸法
Ｔ…施工用具（床構造施工用具）
１０，５０，６０…接着剤
１１，５５，６２…成形面
２０…本体部
２２…歯部
３４…支持部
４０…高さ調整部
４１…高さ調整部の下端
４５…返し部
５１…床仕上げ材
５３…高さ保持材
【図１】
2019060217.tif 000003
【図２】
2019060217.tif 000004
【図３】
2019060217.tif 000005
【図４】
2019060217.tif 000006
【図５】
2019060217.tif 000007
【図６】
2019060217.tif 000008
【図７】
2019060217.tif 000009
【図８】
2019060217.tif 000010
【図９】
2019060217.tif 000011
【図１０】
2019060217.tif 000012
【図１１】
2019060217.tif 000013